(57)【特許請求の範囲】
【請求項１】
光電変換する光電変換部と、光電変換部の信号が転送される転送部とを有する固体撮像素子の出力信号から露出評価値を得て、この露出評価値に基づいて固体撮像素子の露出量を自動的に制御する、デジタルカメラの自動露出制御装置において、
レリーズ操作前には各露光期間における光電変換部の信号を転送部に転送した後に固体撮像素子から出力させ、レリーズ操作後には光電変換部の信号を転送部に転送しないで固体撮像素子から出力させる転送制御部と、
上記レリーズ操作後に得られる出力信号と、この出力信号の直前における上記レリーズ操作前に得られる出力信号とからスミア成分を近似的に含まない露出評価値を得る露出演算制御部と、
上記レリーズ操作前に上記固体撮像素子から出力された信号を表す動画を表示する表示部と、
を備えたことを特徴とするデジタルカメラの自動露出制御装置。
【発明の詳細な説明】
【０００１】
【発明の属する技術分野】
本発明は、固体撮像素子の出力信号を利用して自動露出制御を行うデジタルカメラの自動露出制御装置に関する。
【０００２】
【従来の技術】
近年、固体撮像素子を用いたイメージャにより、被写体像を撮像し、磁気テープ状あるいは半導体メモリで構成される記録媒体に記録する電子的な撮像装置が広く用いられるようになった。
このような電子的な撮像装置における撮像光学系を適正な露出状態に自動的に設定するための自動露出制御装置が採用される。
【０００３】
この自動露出制御装置としては、通常はイメージャとしての電荷結合素子（ＣＣＤと略記）の出力を利用して自動露出制御（いわゆるイメージャＡＥ）を行うものがあり、より具体的にはＣＣＤから出力される画像の自動露出検出エリアを積分し、この値を基に露出条件（シャッタ速や絞りなど）を決める。
【０００４】
図５は従来例の自動露出制御装置における自動露出制御の動作をタイミングチャートで示したものである。なお、図５は横軸が時間軸で、便宜上２段で表示しており、上段の右端に同じ符号（ｉ）の下段の左端がつながるように示している（ここで、ｉ＝ａ，ｂ，…，ｆ）。なお、他の図２等でも同様に表示する。
【０００５】
図５の（ａ）〜（ｆ）はそれぞれメカシャッタ、ＣＣＤ読出パルスＯＮ／ＯＦＦ（ＯＮで読出パルスの出力許可、ＯＦＦで読出パルス出力禁止）、露光時間、ＣＣＤ出力、ＡＥエリア積分、ＡＥ演算を示している。
メカシャッタはシャッタトリガを受け付ける前では、開（ＯＰＥＮ）であり、シャッタトリガを受け付けると閉（ＣＬＯＳＥ）になる。
また、ＣＣＤの感光部（光電変換部）から転送部に転送するＣＣＤ読出パルスは常時ＯＮである。
【０００６】
そして、露光時間ＴＩの後にＣＣＤの光電変換部の信号電荷はＣＣＤ読出パルスで転送部に転送され、この転送部に転送された信号電荷は垂直及び水平転送転送信号の印加により、ＣＣＤ出力となる。
【０００７】
このＣＣＤ出力におけるＡＥ検出エリアに対応する信号は積分される。これをＡＥエリア積分としてその積分値ＥＩ＋ＳＩで示す。ここで、ＥＩは露光期間ＴＩでのＣＣＤの光電変換部（のＡＥ検出エリア）で蓄積された正味の信号電荷の積分値を示し、ＳＩは明るい被写体の斜め入射等の原因で垂直転送部に発生するいわゆるスミアの積分値を示す。
【０００８】
そして、自動露出の演算を行う演算部はＡＥ演算により、積分値ＥＩ＋ＳＩを目標値と比較し、積分値ＥＩ＋ＳＩ＞目標値の場合にはＴＩ＞ＴＩ＋１となるように次の露光時間ＴＩ＋１を決定する。一方、積分値ＥＩ＋ＳＩ＜目標値の場合にはＴＩ＜ＴＩ＋１となるように次の露光時間ＴＩ＋１を決定する。
【０００９】
このようにして、露光時間を順次決定し、露光時間Ｔｎの後にレリーズ操作が行われてシャッタトリガを受け付けると、積分値Ｅｎ＋Ｓｎから本露光、つまり実際に記録する際の本露光時間を決定し、その決定した本露光時間の後にＣＣＤ読み出しパルスで転送部に転送し、かつメカシャッタを閉じ、さらに垂直及び水平転送転送信号の印加により、ＣＣＤ出力を得る。
【００１０】
この場合にはメカシャッタは閉じているので、スミアの積分値は０となり、メカシャッタが開いている状態で、ＡＥ演算により露光時間を決定していたのとは条件が異なる。
【００１１】
つまり、本露光を行う前では常にスミア成分が存在する状態で次の露光時間を決定していたが、本露光の場合にはスミア成分が無いだけ、本露光時の露光量を小さくしてしまう。つまり、本露光時間での露光量はスミア成分の割合だけ、小さい露光量Ｅｎ／（Ｅｎ＋Ｓｎ）に設定されてしまう。
【００１２】
【発明が解決しようとする課題】
このため、スミアの影響が大きい程、実際に記録された画像は暗い画像になってしまう欠点があった。
【００１３】
つまり、従来例ではスミアが発生する様な明るいシーンでは、イメージャＡＥ時に、スミアを含んでＣＣＤ出力を基にして本露光時の露光時間を決定していたので、本露光時にメカシャッタや絞りを絞って撮影するカメラの場合は、スミアが多い程、記録される画像が暗くなってしまう欠点があった。
【００１４】
（発明の目的）
本発明は、上述した点に鑑みてなされたもので、デジタルカメラ等における記録時の露出条件を決定する際にスミアが発生する様な明るいシーンでのスミアによる露出誤差を防止できる自動露出制御装置を提供することを目的とする。
【００１５】
【課題を解決するための手段】
請求項１では光電変換する光電変換部と、光電変換部の信号が転送される転送部とを有する固体撮像素子の出力信号から露出評価値を得て、この露出評価値に基づいて固体撮像素子の露出量を自動的に制御する、デジタルカメラの自動露出制御装置において、レリーズ操作前には各露光期間における光電変換部の信号を転送部に転送した後に固体撮像素子から出力させ、レリーズ操作後には光電変換部の信号を転送部に転送しないで固体撮像素子から出力させる転送制御部と、上記レリーズ操作後に得られる出力信号と、この出力信号の直前における上記レリーズ操作前に得られる出力信号とからスミア成分を近似的に含まない露出評価値を得る露出演算制御部と、上記レリーズ操作前に上記固体撮像素子から出力された信号を表す動画を表示する表示部と、を備えたことを特徴とする。
【００１７】
【発明の実施の形態】
以下、図面を参照して本発明の実施の形態を説明する。
（第１の参照例）
図１及び図２は本発明に関連する第１の参照例に係り、図１は本発明に関連する第１の参照例のデジタルカメラの自動露出制御装置の全体構成を示し、図２は第１の参照例の動作説明用タイミングチャートを示す。
【００１８】
図１に示すように本発明の第１の参照例を備えたデジタルスチルカメラ１では被写体側からの光は光軸に沿って配置された撮像レンズ２、メカシャッタ３、絞り４を経てイメージャとしてのＣＣＤ５の撮像面に入射される。
【００１９】
このＣＣＤ５では光電変換画素を形成するフォトダイオードアレイにより形成される光電変換部（感光部）で蓄積された信号電荷はＣＣＤ読出パルスにより、光電変換部から垂直転送部に転送される。そして、さらに垂直転送信号及び水平転送信号の印加により、垂直転送部の信号電荷は垂直方向に転送され、かつ水平転送部の出力端から順次信号電荷が出力される。
【００２０】
ＣＣＤ５にはタイミングジェネレータ回路（ＴＧ回路と略記）６からのＣＣＤドライブ信号（ＣＣＤ読出パルスと、垂直転送信号及び水平転送信号からなる転送信号等）が印加され、このＣＣＤドライブ信号の印加によりＣＣＤ５から光電変換された撮像信号（あるいは画像信号）が出力され、その信号はサンプル／ホールド回路７により、画素単位でサプルホールドされて信号成分のみが抽出される。
【００２１】
さらにゲインコントロール回路（ＧＣ回路と略記）８でゲイン調整されてＡ／Ｄ変換器９に入力され、アナログ信号からデジタル信号に変換される。サンプル／ホールド回路７及びＡ／Ｄ変換器９にはＴＧ回路６からタイミング信号が印加され、所定のタイミングでサンプル／ホールド及びＡ／Ｄ変換を行う。
【００２２】
Ａ／Ｄ変換器９から出力されるデジタル信号は信号処理回路１０に入力され、信号処理されて映像信号に変換され、メモリカード等の記録媒体を含む記録系１１と画像表示する液晶表示素子（ＬＣＤと略記）１２に入力される。
【００２３】
ＬＣＤ１２には被写体像が表示される。また、図示しないレリーズスイッチを操作することにより、被写体像を記録するシャッタトリガが起動し、記録媒体には被写体の画像が記録される。
【００２４】
上記デジタル信号は積分回路１３に入力され、この積分回路１３は１画面分における露出検出エリア部分のデジタル信号を積分して被写体の明るさに対応した自動露出（ＡＥと略記）するためのＡＥ積分値の信号を生成し、露出演算・制御回路１４に出力する。
【００２５】
この露出演算・制御回路１４はＴＧ回路６からのタイミング信号に同期して、記録系１１で画像記録を行う際に適正な明るさ及び露光量（露出量）で行うように絞り４の絞り量、シャッタ３の開閉、ＣＣＤ５によるＣＣＤシャッタを制御する。
また、露出演算・制御回路１４はＧＣ回路８のゲイン、積分回路１３の積分する動作の制御も行う。
【００２６】
本参照例では露出演算・制御回路１４はＴＧ回路６を介してＣＣＤ読出パルスのＯＮとＯＦＦ制御を行うことにより、ＯＮの場合でのＣＣＤ出力とＯＦＦの場合でのＣＣＤ出力との演算から殆どスミア成分を含まないＡＥ積分値を得て、実際に露光して画像記録する際にスミアの影響のない露出状態でその画像記録を行うようにしていることが特徴となっている。
【００２７】
つまり、光電変換部を露光させてその信号電荷をＣＣＤ読出パルスにより垂直転送部に転送して転送信号の印加によりＣＣＤ５から出力させる通常のＣＣＤドライブ方法による第１のドライブ期間と、この期間の後にＣＣＤ読出パルスを印加しない（つまり、ＣＣＤ読出パルスＯＦＦ）で垂直転送部の信号を転送信号の印加によりＣＣＤ５からスミア成分のみを抽出するようにドライブする第２のドライブ期間とを交互に繰り返してスミア成分を殆ど含まないＡＥ積分値を算出し、このＡＥ積分値により実際に露光して画像記録する際にスミアの影響のない露出状態で画像記録を行うようにしている。
【００２８】
本参照例の動作を図２のタイミングチャートを参照して以下に説明する。  本参照例の動作を示す図２のタイミングチャートは図５の従来例におけるタイミングチャートと同様に横軸が時間軸で、便宜上２段で表示しており、上段の右端に同じ符号（ｉ）の下段の左端がつながるように示している（ここで、ｉ＝ａ，ｂ，…，ｆ）。なお、他の図２等でも同様に表示する。
【００２９】
図２の（ａ）〜（ｆ）はそれぞれメカニカルシャッタ（メカシャッタ）、ＣＣＤ読出パルスＯＮ／ＯＦＦ、露光時間、ＣＣＤ出力、ＡＥエリア積分、ＡＥ演算を示している。
【００３０】
図２（ａ）に示すメカシャッタはシャッタトリガを受け付ける前では、開（ＯＰＥＮ）であり、シャッタトリガを受け付けると閉（ＣＬＯＳＥ）になる。
【００３１】
また、図２（ｂ）に示すようにＣＣＤ５の感光部（光電変換部）から転送部に転送するＣＣＤ読出パルスは図２（ｃ）に示す露光時間ＴＩ（Ｉ＝１，２，…，ｎ）で露光された信号電荷を通常のドライブ方法で出力させた後にＯＮからＯＦＦにされ、このＯＦＦの状態で垂直転送部の信号が転送信号によりＣＣＤ５から出力されるようにしている。
【００３２】
つまり、各１画面分の撮像期間ではその露光時間ＴＩの後にＣＣＤ読出パルスにより光電変換部の信号電荷が垂直転送部に転送され、この垂直転送部の信号電荷は転送信号の印加によりＣＣＤ５から順次出力される。この出力を図２（ｄ）のＣＣＤ出力で示す。
【００３３】
ＣＣＤ出力はＳ／Ｈ回路７、ＧＣ回路８、Ａ／Ｄ変換器９を経て信号処理回路１０側に入力されると共に、積分回路１３にも入力される。この積分回路１３は露出演算・制御回路１４から、ＡＥエリア部分のＣＣＤ出力が入力されている期間に積分動作を行うように制御され、この積分回路１３はＡＥエリアで積分して、図２（ｅ）に示すＡＥエリア積分値ＥＩ＋ＳＩを露出演算・制御回路１４に出力する。
【００３４】
ここで、ＥＩは露光期間ＴＩでのＣＣＤ５の光電変換部（のＡＥ検出エリア）で蓄積された正味の信号電荷の積分値を示し、ＳＩは明るい被写体の斜め入射等の原因で垂直転送部に発生するいわゆるスミアの積分値を示す。
【００３５】
続いてＣＣＤ読出パルスはＯＦＦにされ、垂直転送部の空の信号電荷は（空でない信号電荷の場合と同様に）転送信号の印加により、ＣＣＤ５から出力される。つまり、この場合には露光時間は設けられないので、図２（ｃ）で模式的に点線で×で示している。
【００３６】
この場合のＣＣＤ出力に対しても同様に積分回路１３はＡＥエリア部分からのＣＣＤ出力が入力されるタイミングで積分して、図２（ｅ）に示すＡＥエリア積分値ＳＩ′を露出演算・制御回路１４に出力する。
【００３７】
このＡＥエリア積分値ＳＩ′はその前のタイミングで得られるＡＥエリア積分値ＳＩと（カメラ１に対し）被写体が急激に変化する場合を除いて殆ど同じとなる。つまり、ＳＩ≒ＳＩ′となり、近似的に等しい。
【００３８】
露出演算・制御回路１４は２つのＡＥエリア積分値ＥＩ＋ＳＩ，ＳＩ′からＡＥ演算を行う。つまり、演算ＥＩ＋ＳＩ−ＳＩ′が目標値より大きいか否かの演算を行い、ＥＩ＋ＳＩ−ＳＩ′＞目標値の場合には次の露光時間ＴＩ＋１に対してＴＩ＞ＴＩ＋１に設定し、ＥＩ＋ＳＩ−ＳＩ′＜目標値の場合には次の露光時間ＴＩ＋１に対してＴＩ＜ＴＩ＋１に設定する。
【００３９】
また、絞り４及びＧＣ回路８のゲインの調整を行う。絞り４及びＧＣ回路８のゲインの調整を行った場合には、その影響を考慮した露光時間ＴＩ＋１に設定する。
【００４０】
このようにして各撮像期間で得られる演算値ＥＩ＋ＳＩ−ＳＩ′は殆どスミア成分を含まない値ＥＩとなる。
なお、ＡＥエリア積分値ＥＩ＋ＳＩとＳＩ′とを得る場合には絞り４の絞り量及びＧＣ回路８のゲインは同じ値に保持されている。
【００４１】
このような動作を各撮像期間毎に順次繰り返す。そして、レリーズスイッチが操作されて実際に画像記録を行うシャッタトリガを受け付けると、露出演算・制御回路１４はその直前のＡＥ演算値Ｅｎ＋Ｓｎ−Ｓｎ′（≒Ｅｎ）から本露光条件を決定し、この本露光条件での本露光時間でＣＣＤ５を駆動するようにＴＧ回路６を制御すると共に、絞り４の絞り量を設定する。
【００４２】
そして、本露光時間に光電変換部により蓄積された信号電荷はＯＮにされたＣＣＤ読出パルスにより、垂直転送部に転送されると共に、メカシャッタ３は閉じる。  そして、このメカシャッタ３が閉じた状態で、垂直転送部に転送された信号電荷は転送信号により、垂直方向に転送されると共に水平転送部に転送された信号電荷はその出力端から順次出力され、信号処理回路１０で信号処理され、さらに記録系１１の画像圧縮回路（例えばＪＰＥＧ回路）により圧縮されてメモリカード等の記録媒体に記録（記憶）される。
【００４３】
メカシャッタ３は少なくともＣＣＤ出力期間（より厳密には垂直転送期間）は閉じており、その後に開く。
記録系１１での記録動作が終了すると、次の静止画の撮影動作を受け付ける状態になる。
【００４４】
このような動作を行う本参照例によれば、各撮像期間には殆どスミア成分を含まないＡＥ演算値が得られるので、実際に画像記録を行う場合に、シャッタ３を閉じてもスミアによる露出量が適正な露出量からずれることを殆ど解消できる。そして、明るい被写体のシーンにおいても、スミアによる影響が殆ど無い適正な露出条件で画像記録を行うことができる。
【００４５】
（実施の形態）
次に本発明の実施の形態を図３のタイミングチャートを参照して説明する。本実施の形態は図１と同様の構成であり、その動作内容が異なる。
【００４６】
つまり、本実施の形態はシャッタトリガを受け付けるまでは、図５の従来例と殆ど同様の動作を行い、シャッタトリガを受け付けると、ＣＣＤ読出パルスをＯＦＦにして、垂直転送部の空の信号電荷を読み出す（いわゆるスミア成分の抽出）動作を行い、第１の参照例のようにスミア成分を殆ど含まないＡＥ演算を行ってから、実際の露光条件を決定して、画像記録を行うものである。
【００４７】
図３に示すタイミングチャートはシャッタトリガを受け付ける前までは図５の従来例と同様の動作を行う。
つまり、シャッタトリガを受け付けまでは、ＣＣＤ読出パルスはＯＮ状態であり、露光時間ＴＩの後にＣＣＤ５の光電変換部の信号電荷はＣＣＤ読出パルスで垂直転送部に転送され、この垂直転送部に転送された信号電荷は垂直及び水平転送転送信号の印加により、ＣＣＤ出力となる。
【００４８】
このＣＣＤ出力におけるＡＥ検出エリアに対応する信号は積分回路１３で積分され積分値ＥＩ＋ＳＩが露出演算・制御回路１４に入力される。
そして、露出演算・制御回路１４は自動露出のためのＡＥ演算により、積分値ＥＩ＋ＳＩを目標値と比較する演算を行い、積分値ＥＩ＋ＳＩ＞目標値の場合にはＴＩ＞ＴＩ＋１となるように次の露光時間ＴＩ＋１を決定する。一方、積分値ＥＩ＋ＳＩ＜目標値の場合にはＴＩ＜ＴＩ＋１となるように次の露光時間ＴＩ＋１を決定する。
【００４９】
このようにして、次の露光時間ＴＩ＋１を順次決定し、露光時間Ｔｎの後にレリーズ操作が行われてシャッタトリガを受け付けると、第１の参照例と類似の動作を行うようにする。
【００５０】
シャッタトリガを受け付けると、その直前の露光時間Ｔｎでスミア成分を含んだＣＣＤ出力が出力された後、ＣＣＤ読出パルスをＯＦＦにして、垂直転送部の空の信号電荷を転送してＣＣＤ５から出力させる。つまり、スミア成分のみを出力させる。
【００５１】
そして、露出演算・制御回路１４は積分回路１３から上記露光時間Ｔｎでのスミア成分を含んだＣＣＤ出力のもとでの積分値Ｅｎ＋Ｓｎと同様にスミア成分のみの積分値Ｓｎ′を得る。
そして、露出演算・制御回路１４は積分値Ｅｎ＋Ｓｎと積分値Ｓｎ′とからＡＥ演算値Ｅｎ＋Ｓｎ−Ｓｎ′を得て、この演算値から本露光条件を決定する。
なお、本実施の形態では実際に画像記録を行う場合に、その直前のＡＥ演算値Ｅｎ＋Ｓｎ−Ｓｎ′から、つまり近似的にはスミアを含まないＡＥ演算値Ｅｎから適正な露出条件を決定するように目標値あるいは基準の露光条件を設定している。
【００５２】
従って、シャッタトリガを受け付けていない状態での露光条件はスミア成分だけ、ＡＥエリア積分値が大きいため、ＣＣＤ出力は暗くなるが、実際の画像記録を行う場合には適正な露光条件で画像記録できる。
【００５３】
本実施の形態によれば、シャッタトリガを受け付けるまではスミア成分の抽出のためのいわゆる空読み出しを行わなくて済むので、第１の参照例の場合よりも制御系の動作を簡略化できる。
【００５４】
また、第１の参照例では各撮像期間毎にスミア成分の抽出のための空読み出しを行っているので、その期間には画像が得られないので、ＬＣＤ１２には実際に画像が得られた期間での表示となるが、本実施の形態ではシャッタトリガを受け付けた場合における１回だけその影響を受けるのみであるので、滑らかな動画をＬＣＤ１２に表示できる。
【００５５】
（第２の参照例）
次に本発明の第２の参照例を図４のタイミングチャートを参照して説明する。本参照例は図１とＣＣＤ読出パルスのＯＮ／ＯＦＦを常時ＯＮとした場合と同様の構成であり、その動作内容が異なる。
【００５６】
本参照例はシャッタトリガを受け付ける前では２つの異なる露光時間で露光し、それらのＣＣＤ出力からスミア成分を殆ど含まないＡＥ演算値を得て、シャッタトリガを受け付けた場合にはそのスミア成分を殆ど含まないＡＥ演算値から露出条件を決定するようにことにより、スミアに殆ど影響されず、適正な明るさで画像記録を行うものである。
【００５７】
本参照例は、各撮像期間では図４（ｃ）に示すように例えば実効的に２倍の露光時間２ＴＩと１倍の露光時間ＴＩとでそれぞれ撮像し、各露光時間の後に通常のＣＣＤドライブ方法でＣＣＤ５から出力させる。
【００５８】
そして、図４（ｅ）に示すように積分回路１３は各ＣＣＤ出力におけるＡＥエリアでの積分値２ＥＩ＋ＳＩとＥＩ′＋ＳＩ′とを得て、露出演算・制御回路１４に出力する。
【００５９】
露出演算・制御回路１４はこれらの積分値２ＥＩ＋ＳＩとＥＩ′＋ＳＩ′とからＡＥ演算値２ＥＩ＋ＳＩ−（ＥＩ′＋ＳＩ′）を目標値と比較し、２ＥＩ＋ＳＩ−（ＥＩ′＋ＳＩ′）＞目標値の場合には次の露光時間ＴＩ＋１をＴＩ＞ＴＩ＋１となるように設定し、逆に２ＥＩ＋ＳＩ−（ＥＩ′＋ＳＩ′）＜目標値の場合には次の露光時間ＴＩ＋１をＴＩ＜ＴＩ＋１となるように設定する。
【００６０】
この場合、スミア量はＣＣＤ５での板面照度と転送時間に依存するが、露光時間には影響しないので、各撮像期間において、ＥＩ≒ＥＩ′、ＳＩ≒ＳＩ′と見なすことができる。
【００６１】
従って、ＡＥ演算値２ＥＩ＋ＳＩ−（ＥＩ′＋ＳＩ′）はスミア成分を殆ど含まない値ＥＩを得ることができ、この値ＥＩにより次の露光時間等が設定される。
【００６２】
また、シャッタトリガを受け付けると、その直前の撮像期間で得られたＡＥ演算値２Ｅｎ＋Ｓｎ−（Ｅｎ′＋Ｓｎ′）、（≒ＡＥ演算値Ｅｎ）により、第１の参照例と同様に本露光条件を決定する。
【００６３】
本参照例によれば、１方の露光時間に対し、他方の露光時間を２倍にした２つの異なる露光時間で撮像した場合のＣＣＤ出力からスミア成分の影響を殆ど受けることなく、適正な露出条件で画像記録ができる。
【００６４】
なお、本参照例においては、一方の露光時間ＴＩに対し他方の露光時間を２倍に設定しているが、これに限定されるものでなく、例えば１．５倍に設定し、ＡＥ演算により近似的に得られる０．５ＥＩを２倍にして次の露光時間等を設定するようにしても良い。つまり、一方の露光時間ＴＩに対し他方の露光時間が少なくとも異なる露光時間となるように設定すれば良い。
【００６５】
なお、この変形例として、各撮像期間における２つの露光時間を同じとして、垂直転送時間の方を変更してスミア成分の評価値を得て、その値をスミア成分を含むＡＥ評価値から減算して近似的にスミア成分を含まないＡＥ演算値を得るようにして、このＡＥ演算値により、次の露光条件などを決定したり、本露光の条件を決定しても良い。この場合にも、スミアが発生するような明るいシーンでも、スミアの影響が殆どない適正な露光条件で画像記録ができる。
【００６６】
［付記］
１．固体撮像素子の出力信号から露出評価値を得て、この露出評価値に基づいて固体撮像素子の露出量を自動的に制御する自動露出制御装置において、
第１の露光時間と、該第１の露光時間の実効的に２倍の露光時間でそれぞれ撮像した固体撮像素子から同じドライブ信号の印加によりそれぞれ得た２つの出力信号から、スミア成分を近似的に含まない自動露出評価値を得ることを特徴とする自動露出制御装置。
（作用効果）単に、２つの異なる露光時間の下で撮像した固体撮像素子の２つの出力信号の差信号に対応するＡＥ演算値（ＡＥ評価値）を得ることにより近似的にスミア成分を含まない値が得られ、簡単な構成かつ簡単な制御でスミア成分の影響の少ないＡＥ制御ができる。また、本露光時にはスミア成分による露出誤差が殆どない適正な露出条件で画像記録ができる。
【００６７】
１′．固体撮像素子の出力信号から露出評価値を得て、この露出評価値に基づいて固体撮像素子の露出量を自動的に制御する自動露出制御装置において、
第１の露光時間と、該第１の露光時間とは異なる第２の露光時間でそれぞれ撮像した固体撮像素子から同じドライブ信号の印加によりそれぞれ得た２つの出力信号から、スミア成分を近似的に含まない露出評価値を得ることを特徴とする自動露出制御装置。
（作用効果）付記１と同じ。
【００６８】
２．光電変換する光電変換部と、光電変換部の信号が転送される転送部とを有する固体撮像素子の出力信号から露出評価値を得て、この露出評価値に基づいて固体撮像素子の露出量を自動的に制御する自動露出制御装置において、
各露光期間における光電変換部の信号を転送部に転送した後に固体撮像素子から出力させる第１のドライブ手段と、光電変換部の信号を転送部に転送しないで、転送部の信号を固体撮像素子から出力させる第２のドライブ手段とを有し、前記２つのドライブ手段により得られる２つの出力信号から、スミア成分を近似的に含まない露出評価値を得ることを特徴とする自動露出制御装置。
（作用効果）第１及び第２のドライブ手段により、固体撮像素子から出力された２つの出力信号の積分値の差信号から近似的にスミア成分を含まない露出評価値をえることができ、従ってスミア成分に殆ど影響されない自動露出条件に設定できる。
【００６９】
３．光電変換する光電変換部と、光電変換部の信号が転送される転送部とを有する固体撮像素子の出力信号から露出評価値を得て、この露出評価値に基づいて固体撮像素子の露出量を自動的に制御する自動露出制御装置において、
レリーズ操作前には各露光期間における光電変換部の信号を転送部に転送した後に固体撮像素子から出力させる第１のドライブモードと、レリーズ操作後には光電変換部の信号を転送部に転送しないで固体撮像素子から出力させる第２のドライブモードとを有し、第２のドライブモード時に得られる出力信号と、この出力信号の直前における第１のドライブモード時に得られる出力信号とからスミア成分を近似的に含まない露出評価値を得ることを特徴とする自動露出制御装置。
（作用効果）レリーズ操作直前での第１のドライブモードで得られる出力信号と、レリーズ操作直後の第２のドライブモードで得られる出力信号との差信号に対応する露出評価値を算出することにより、スミア成分を近似的に含まない露出評価値を得ることができ、実際にシャッタを閉じて画像記録する場合にはスミア成分の影響のない適正な露出条件で画像記録ができるような自動露出条件に設定できる。
【００７０】
【発明の効果】
以上説明したように本発明によれば、固体撮像素子の出力信号から露出評価値を得て、この露出評価値に基づいて固体撮像素子の露出量を自動的に制御する、デジタルカメラの自動露出制御装置において、レリーズ操作後にはスミア成分を得るための転送動作を行うのみで、各露光時間における光電変換部の信号を転送部に転送する必要がないので、スミア成分を近似的に含まない露出評価値をレリーズ操作から本露光までの間の短時間で得ることができる。また、レリーズ操作前には各画像表示のための撮像期間毎にスミア成分の抽出のための空読み出しを行わないので、滑らかな動画を表示することができる。
【図面の簡単な説明】
【図１】本発明の第１の実施の形態のデジタルスチルカメラの自動露出制御装置を備えたデジタルスチルカメラの概略の構成を示すブロック図。
【図２】本発明に関連する第１の参照例の動作説明用のタイミングチャート図。
【図３】本発明の実施の形態の動作説明用のタイミングチャート図。
【図４】本発明に関連する第１の参照例の動作説明用のタイミングチャート図。
【図５】従来例の動作を示すタイミングチャート図。
【図１】
0003999858.tif 000002
【図２】
0003999858.tif 000003
【図３】
0003999858.tif 000004
【図４】
0003999858.tif 000005
【図５】
0003999858.tif 000006